(57)【要約】      （修正有）【課題】信号の送受信時に信号の伝送損失を最小化して送受信するアンテナ装置を提供する。【解決手段】アンテナ装置１００は放射金属１１０、放射金属と連結される接地ＧＮＤ、放射金属と接地との間に連結されて第１経路を形成し、周波数によってインピーダンス値が変更されるが、所定の周波数に応じて第１経路を開放されるようにする第１インピーダンス部１２０及び放射金属と接地との間に連結されて第１経路と並列である第２経路を形成し、周波数によってインピーダンス値が変更されるが、所定の周波数に応じて第２経路を短絡されるようにする第２インピーダンス部１３０を含む。【選択図】図１
2015089129.tif 000002
【特許請求の範囲】
【請求項１】
放射金属と、
前記放射金属と接地との間に連結され、周波数によってインピーダンス値が変更されるが、所定の周波数に応じて共振することにより前記放射金属と前記接地との間が開放されるようにする第１インピーダンス部と、
前記放射金属と前記接地との間に連結され、周波数によってインピーダンス値が変更されるが、前記所定の周波数に応じて共振することにより前記放射金属と前記接地との間が短絡されるようにする第２インピーダンス部と、
を含むアンテナ装置。
【請求項２】
前記第１インピーダンス部は、第１インダクタと第１キャパシタが並列に連結される、請求項１に記載のアンテナ装置。
【請求項３】
前記第２インピーダンス部は、第２インダクタと第２キャパシタが直列に連結される、請求項１又は２に記載のアンテナ装置。
【請求項４】
前記第１インピーダンス部は、前記所定の周波数より低い周波数を有する信号に応じてインダクタ成分となり、前記第２インピーダンス部は、前記所定の周波数より低い周波数を有する信号に応じてキャパシタ成分となり、前記インダクタ成分と前記キャパシタ成分は、前記所定の周波数より低い周波数を有する信号において共振する、請求項１に記載のアンテナ装置。
【請求項５】
前記第１インピーダンス部は、前記所定の周波数より高い周波数を有する信号に応じてキャパシタ成分となり、前記第２インピーダンス部は、前記所定の周波数より高い周波数を有する信号に応じてインダクタ成分となり、前記キャパシタ成分と前記インダクタ成分は、前記所定の周波数より高い周波数を有する信号において共振する、請求項１に記載のアンテナ装置。
【請求項６】
前記放射金属に直列に連結される第３インピーダンス部と第４インピーダンス部とをさらに含むが、前記第３インピーダンス部は、前記所定の周波数に応じて開放され、前記第４インピーダンス部は、前記所定の周波数に応じて短絡する、請求項１に記載のアンテナ装置。
【請求項７】
前記第３インピーダンス部は、第３インダクタと第３キャパシタとが並列に連結される、請求項６に記載のアンテナ装置。
【請求項８】
前記第４インピーダンス部は、第４インダクタと第４キャパシタとが直列に連結される、請求項７に記載のアンテナ装置。
【請求項９】
前記第３インピーダンス部は、前記所定の周波数より低い周波数を有する信号に応じてインダクタ成分となり、前記第４インピーダンス部は、前記所定の周波数より低い周波数を有する信号に応じてキャパシタ成分となり、前記インダクタ成分と前記キャパシタ成分は、前記所定の周波数より低い周波数を有する信号において共振する、請求項６に記載のアンテナ装置。
【請求項１０】
前記第３インピーダンス部は、前記所定の周波数より高い周波数を有する信号に応じてキャパシタ成分となり、前記第４インピーダンス部は、前記所定の周波数より高い周波数を有する信号に応じてインダクタ成分となり、前記インダクタ成分と前記キャパシタ成分は、前記所定の周波数より高い周波数を有する信号において共振する、請求項６に記載のアンテナ装置。
【請求項１１】
前記放射金属は、前記所定の周波数より低い低域周波数帯の信号に応じて共振する第１放射金属と、前記所定の周波数より高い高域周波数帯の信号に応じて共振する第２放射金属とを含む、請求項１に記載のアンテナ装置。
【請求項１２】
放射金属と、
一端が前記放射金属に連結される第３インピーダンス部と、
一端が前記第３インピーダンス部に連結される第４インピーダンス部と、
を含むが、
前記第３インピーダンス部は、所定の周波数に応じて開放され、前記第４インピーダンス部は、前記所定の周波数に応じて短絡する、アンテナ装置。
【請求項１３】
前記第３インピーダンス部は、第３インダクタと第３キャパシタとが並列に連結される、請求項１２に記載のアンテナ装置。
【請求項１４】
前記第４インピーダンス部は、第４インダクタと第４キャパシタとが直列に連結される、請求項１２に記載のアンテナ装置。
【請求項１５】
前記第３インピーダンス部は、前記所定の周波数より低い周波数を有する信号に応じてインダクタ成分となり、前記第４インピーダンス部は、前記所定の周波数より低い周波数を有する信号に応じてキャパシタ成分となり、前記インダクタ成分と前記キャパシタ成分は、前記所定の周波数より低い周波数を有する信号において共振する、請求項１２に記載のアンテナ装置。
【請求項１６】
前記第３インピーダンス部は、前記所定の周波数より高い周波数を有する信号に応じてキャパシタ成分となり、前記第４インピーダンス部は、前記所定の周波数より高い周波数を有する信号に応じてインダクタ成分となり、前記インダクタ成分と前記キャパシタ成分は、前記所定の周波数より高い周波数を有する信号において共振する、請求項１２に記載のアンテナ装置。
【請求項１７】
前記放射金属と接地との間に連結され、周波数によってインピーダンス値が変更されるが、所定の周波数に応じて共振することにより前記放射金属と前記接地との間が開放されるようにする第１インピーダンス部と、
前記放射金属と前記接地との間に連結され、周波数によってインピーダンス値が変更されるが、前記所定の周波数に応じて共振することにより前記放射金属と前記接地との間が短絡されるようにする第２インピーダンス部と、
を含む、請求項１２に記載のアンテナ装置。
【請求項１８】
前記放射金属は、前記所定の周波数より低い低域周波数帯の信号に応じて共振する第１放射金属と、前記所定の周波数より高い高域周波数帯の信号に応じて共振する第２放射金属とを含む、請求項１２に記載のアンテナ装置。
【発明の詳細な説明】
【技術分野】
【０００１】
本発明は、アンテナ装置に関するもので、より詳しくは、低周波数バンドと高周波数バンドを広帯域化することができるアンテナ装置に関する。
【背景技術】
【０００２】
移動通信加入者は毎年増加しており、移動通信技術も発展している。移動通信機器は、コード分割多重接続（ＣＤＭＡ、Ｃｏｄｅ Ｄｉｖｉｓｉｏｎ Ｍｕｌｔｉｐｌｅ Ａｃｃｅｓｓ）、広帯域符号分割多重接続（ＷＣＤＭＡ（登録商標）、Ｗｉｄｅｂａｎｄ Ｃｏｄｅ Ｄｉｖｉｓｉｏｎ Ｍｕｌｔｉｐｌｅ Ａｃｃｅｓｓ）に続いて最近、ロング・ターム・エボリューション（ＬＴＥ、Ｌｏｎｇ Ｔｅｒｍ Ｅｖｏｌｕｔｉｏｎ）方式を移動通信規格として使用しており、衛星位置確認システム（ＧＰＳ、Ｇｌｏｂａｌ Ｐｏｓｉｔｉｏｎｉｎｇ Ｓｙｓｔｅｍ）とワイファイ（Ｗｉ−Ｆｉ）を利用するようにしている。
【０００３】
スマートフォンのような移動通信装置は、外付けアンテナより内蔵アンテナがより好まれている。内臓アンテナとしては、逆Ｆアンテナ（Ｉｎｖｅｒｔｅｄ Ｆ ａｎｔｅｎｎａ）、平板逆Ｆアンテナ（Ｐｌａｎａｒ ｉｎｖｅｒｔｅｄ Ｆ ａｎｔｅｎｎａ）、逆Ｌアンテナ（Ｉｎｖｅｒｔｅｄ Ｌ ａｎｔｅｎｎａ）、平板逆Ｌアンテナ（Ｐｌａｎａｒ ｉｎｖｅｒｔｅｄ Ｌ ａｎｔｅｎｎａ）などがある。
【０００４】
また、スマートフォンは多機能化の傾向に伴い、さまざまな周波数バンドの信号を処理できなければならないため、低周波数の信号と高周波数の信号に最適化し、信号の送受信時に信号の伝送損失を最小化することが必要である。
【発明の概要】
【発明が解決しようとする課題】
【０００５】
本発明の実施形態の目的は、信号の送受信時に信号の伝送損失を最小化して送受信するアンテナ装置を提供することにある。
【課題を解決するための手段】
【０００６】
本発明の第１側面は、放射金属と、放射金属と接地との間に連結され、周波数によってインピーダンス値が変更されるが、所定の周波数に応じて共振することにより放射金属と接地との間が開放されるようにする第１インピーダンス部と、放射金属と接地との間に連結され、周波数によってインピーダンス値が変更されるが、所定の周波数に応じて共振することにより放射金属と接地との間が短絡されるようにする第２インピーダンス部と、を含むアンテナ装置を提供するものである。
【０００７】
付加的に、前記第１インピーダンス部は、第１インダクタと第１キャパシタが並列に連結されるアンテナ装置を提供するものである。
【０００８】
付加的に、前記第２インピーダンス部は、第２インダクタと第２キャパシタが直列に連結されるアンテナ装置を提供するものである。
【０００９】
付加的に、前記第１インピーダンス部は、所定の周波数より低い周波数を有する信号に応じてインダクタ成分となり、第２インピーダンス部は、所定の周波数より低い周波数を有する信号に応じてキャパシタ成分となり、インダクタ成分とキャパシタ成分は、所定の周波数より低い周波数を有する信号において共振するアンテナ装置を提供するものである。
【００１０】
付加的に、前記第１インピーダンス部は、所定の周波数より高い周波数を有する信号に応じてキャパシタ成分となり、第２インピーダンス部は、所定の周波数より高い周波数を有する信号に応じてインダクタ成分となり、キャパシタ成分とインダクタ成分は、所定の周波数より高い周波数を有する信号において共振するアンテナ装置を提供するものである。
【００１１】
付加的に、放射金属に直列に連結される第３インピーダンス部と第４インピーダンス部とをさらに含むが、第３インピーダンス部は、所定の周波数に応じて開放され、第４インピーダンス部は、所定の周波数に応じて短絡するアンテナ装置を提供するものである。
【００１２】
付加的に、前記第３インピーダンス部は、第３インダクタと第３キャパシタとが並列に連結されるアンテナ装置を提供するものである。
【００１３】
付加的に、前記第４インピーダンス部は、第４インダクタと第４キャパシタとが直列に連結されるアンテナ装置を提供するものである。
【００１４】
付加的に、前記第３インピーダンス部は、所定の周波数より低い周波数を有する信号に応じてインダクタ成分となり、第４インピーダンス部は、所定の周波数より低い周波数を有する信号に応じてキャパシタ成分となり、インダクタ成分とキャパシタ成分は、所定の周波数より低い周波数を有する信号において共振するアンテナ装置を提供するものである。
【００１５】
付加的に、前記第３インピーダンス部は、所定の周波数より高い周波数を有する信号に応じてキャパシタ成分となり、第４インピーダンス部は、所定の周波数より高い周波数を有する信号に応じてインダクタ成分となり、インダクタ成分とキャパシタ成分は、所定の周波数より高い周波数を有する信号において共振するアンテナ装置を提供するものである。
【００１６】
付加的に、前記放射金属は、所定の周波数より低い低域周波数帯の信号に応じて共振する第１放射金属と、所定の周波数より高い高域周波数帯の信号に応じて共振する第２放射金属とを含むアンテナ装置を提供するものである。
【発明の効果】
【００１７】
本発明の実施形態によるアンテナ装置によると、低周波数帯域と高周波数帯域を広帯域化することができ、高周波数信号と低周波数信号の送受信時に発生し得る伝送損失を最小化することができる。
【図面の簡単な説明】
【００１８】
【図１】本発明によるアンテナ装置の一実施形態を示す回路図である。
【図２ａ】図１に示されたアンテナ装置に伝達される信号による等価回路図である。
【図２ｂ】図１に示されたアンテナ装置に伝達される信号による等価回路図である。
【図２ｃ】図１に示されたアンテナ装置に伝達される信号による等価回路図である。
【図３ａ】図１に示されたアンテナ装置に伝達される任意の信号の周波数に対する整合特性を表わす図面である。
【図３ｂ】図１に示されたアンテナ装置に伝達される任意の信号の周波数に対する整合特性を表わす図面である。
【図４ａ】図３ａに対応するスミスチャートを表わす図面である。
【図４ｂ】図３ｂに対応するスミスチャートを表わす図面である。
【図５】本発明によるアンテナ装置の他の一実施形態を示す回路図である。
【図６ａ】図５に示されたアンテナ装置に伝達される信号による等価回路図である。
【図６ｂ】図５に示されたアンテナ装置に伝達される信号による等価回路図である。
【図６ｃ】図５に示されたアンテナ装置に伝達される信号による等価回路図である。
【図７】図５に示されたアンテナ装置に伝達される任意の信号の周波数に対する整合特性を表わす図面である。
【図８】図７に対応するスミスチャートを表わす図面である。
【図９】本発明によるアンテナ装置の構造を示す構造図である。
【発明を実施するための形態】
【００１９】
後述する本発明に対する詳細な説明は、本発明を実施することができる特定の実施形態を例示として図示する添付の図面を参照する。これらの実施形態は、当業者が本発明を実施するのに十分なように詳しく説明する。本発明の多様な実施形態は互いに異なるが、相互に排他的である必要はないことが理解されなければならない。例えば、ここに記載されている特定形状、構造及び特性は、一実施形態に関連して本発明の精神及び範囲を外れないながらも、他の実施形態で具現することができる。また、それぞれの開示された実施形態内の個別の構成要素の位置又は配置は、本発明の精神及び範囲を外れないながらも変更できることが理解されなければならない。したがって、後述する詳細な説明は、限定的な意味として取ろうとするのではなく、本発明の範囲は、適切に説明されるならば、その請求項が主張するのと均等なすべての範囲とともに添付された請求項によってのみ限定される。図面において類似の参照符号は様々な側面にわたって同一もしくは類似の機能を指し示す。
【００２０】
以下、添付される図面を参照して本発明の実施形態によるインピーダンスマッチング回路を説明する。
【００２１】
図１は、本発明によるアンテナ装置の一実施形態を示す回路図であり、図２ａないし図２ｃは、図１に示されたアンテナ装置に伝達される信号による等価回路図である。図２ａは、放射金属に所定の周波数を有する信号が伝達される時のアンテナ装置の等価回路図であり、図２ｂは、放射金属に所定の周波数より高い周波数を有する信号が伝達される時のアンテナ装置の等価回路図であり、図２ｃは、放射金属に所定の周波数より低い周波数を有する信号が伝達される時のアンテナ装置の等価回路図である。
【００２２】
図１を参照すると、アンテナ装置１００は、放射金属１１０、放射金属１１０と接地ＧＮＤとの間に連結され、周波数によってインピーダンス値が変更されるが、所定の周波数に応じて共振することにより放射金属１１０と接地ＧＮＤとの間が開放されるようにする第１インピーダンス部１２０、及び放射金属１１０と接地ＧＮＤとの間に連結され、周波数によってインピーダンス値が変更されるが、所定の周波数に応じて共振することにより放射金属１１０と接地ＧＮＤとの間が短絡されるようにする第２インピーダンス部１３０、を含んでもよい。
【００２３】
アンテナ装置は、一つの放射金属１１０において、低域帯に属する信号と高域帯に属する信号とが共振することができる。また、アンテナ装置１００は、二つの放射金属１１０において、それぞれ低域帯に属する信号と高域帯に属する信号とを送受信することができる。そして、放射金属１１０において低域帯周波数バンドに属する信号と高域帯周波数バンドに属する信号とが共振できるようにするために、放射金属１１０と接地ＧＮＤとの間に第１インピーダンス部１２０と第２インピーダンス部１３０とが並列に連結されてもよい。第１インピーダンス部１２０と第２インピーダンス部１３０はそれぞれ放射金属１１０に伝達される信号の周波数に応じてインピーダンス値が変更されてもよい。また、第１インピーダンス部１２０と第２インピーダンス部１３０はそれぞれ所定の周波数に応じて共振することができる。
【００２４】
放射金属１１０で所定の周波数を有する信号が送受信されるとき、第１インピーダンス部１２０と第２インピーダンス部１３０はそれぞれ所定の周波数に応じて共振することができる。第１インピーダンス部１２０において送受信される信号が共振すると、第１インピーダンス部１２０のインピーダンスが無限大になり、第２インピーダンス部１３０において送受信される信号が共振すると、第２インピーダンス部１３０のインピーダンスは０になってもよい。第１インピーダンス部１２０のインピーダンスが無限大になり、第２インピーダンス部１３０のインピーダンスが０になると、アンテナ装置１００は、図２ａに示されているように、放射金属１１０は接地ＧＮＤに連結されてもよい。したがって、放射金属１１０に送受信される信号は接地ＧＮＤに伝達されるようになり、アンテナ装置１００と連結されている外部装置（図示せず）に信号が伝達されないようになってもよい。
【００２５】
そして、放射金属１１０に所定の周波数より周波数が高い高域帯に属する信号が送受信されると、アンテナ装置１００は図２ｂに示されているように、第１インピーダンス部１２０はキャパシタ成分ＣＨ１を有してもよく、第２インピーダンス部１３０はインダクタ成分ＬＨ１を有してもよい。放射金属１１０に送受信される高域帯信号のうち特定の高域帯信号は、第１インピーダンス部１２０のキャパシタ成分ＣＨ１と第２インピーダンス部１３０のインダクタ成分ＬＨ１とによって共振することができる。
【００２６】
また、放射金属に所定の周波数より周波数が低い低域帯に属する信号が送受信されるとき、アンテナ装置１００は、図２ｃに示されているように、第１インピーダンス部１２０はインダクタ成分ＬＬ１を有してもよく、第２インピーダンス部１３０はキャパシタ成分ＣＬ１を有してもよい。放射金属１１０に送受信される低域帯信号のうち特定の低域帯信号は、第１インピーダンス部１２０のインダクタ成分ＬＬ１と第２インピーダンス部１３０のキャパシタ成分ＣＬ１とによって共振することができる。
【００２７】
第１インピーダンス部１２０と第２インピーダンス部１３０は、放射金属１１０に送受信される信号に応じてそれぞれインピーダンス成分の値が変更されてもよい。したがって、放射金属１１０に高域帯に属する信号が送受信される時に第１インピーダンス部１２０と第２インピーダンス部１３０とが有するインピーダンス値と、低域帯に属する信号が放射金属１１０に送受信される時に第１インピーダンス部１２０と第２インピーダンス部１３０とが有するインピーダンス値とは、異なってもよい。第１インピーダンス部１２０と第２インピーダンス部１３０の数は一つずつ示されているが、これに限定される訳ではなく、第１インピーダンス部１２０の数と第２インピーダンス部１３０はそれぞれ複数個が備えられてもよい。
【００２８】
そして、第１インピーダンス部１２０と第２インピーダンス部１３０のインピーダンス成分の値が放射金属１１０に送受信される周波数によって変更されてもよいため、第１インピーダンス部１２０と第２インピーダンス部１３０によって放射金属１１０に高域帯に属する信号が送受信される時に共振されてもよく、低域帯に属する信号が送受信される時も共振されてもよい。一例として、放射金属１１０において共振する低域帯信号は８５０ＭＨｚを有する信号であってもよく、高域帯信号は１８５０ＭＨｚ帯の信号であってもよい。また、所定の周波数は、低域帯信号の周波数と高域帯の周波数の平均周波数を用いることができる。しかし、これに限定される訳ではなく、低域帯信号の周波数と高域帯信号の周波数の平均に近い周波数を用いることが可能である。例えば、低域帯信号の周波数が８５０ＭＨｚであり、高域帯信号の周波数が１８５０ＭＨｚであれば、所定の周波数は１２５０ＭＨｚであってもよい。
【００２９】
一実施形態において、第１インピーダンス部１２０はインダクタＬ１１とキャパシタＣ１１が並列に連結されており、第２インピーダンス部１３０は、インダクタＬ２１とキャパシタＣ２１が直列に連結されている。
【００３０】
したがって、アンテナ装置１００は、高域帯信号に応じて共振することができ、低域帯信号に応じて共振することができ、高周波信号と低周波信号を広帯域化することができる。
【００３１】
図３ａ及び図３ｂは、図１に示されたアンテナ装置に伝達される任意の信号の周波数に対する整合特性を表わす図面であり、図４ａは図３ａに対応するスミスチャートを表わし、図４ｂは、図３ｂに対応するスミスチャートを表わす。図３ａは、放射金属のａ地点で信号の周波数に対する整合特性を表わし、図３ｂは、放射金属のｂ地点で信号の周波数に対する整合特性を表わす。
【００３２】
図１に示された放射金属１１０に、７００ＭＨｚから２３００ＭＨｚの間の周波数を有する信号が送受信されるとき、図１のａ地点（ａ）において周波数と整合特性は、図３ａに示されているように表わされてもよい。また、スミスチャートは図４ａに示されているように表わされる。すなわち、放射金属１１０に８５０ＭＨｚ程度の周波数を有する信号が伝達される時と、放射金属１１０に１８５０ＭＨｚ程度の信号が伝達されるとき、それぞれ一つのポール（Ｐｏｌｅ）が形成されることが分かる。したがって、放射金属１１０に８５０ＭＨｚ程度の周波数を有する信号と１８５０ＭＨｚ程度の周波数を有する信号とが送受信されるとき、伝送損失が最も少なく発生し得ることが分かる。そして、周波数が１２５０ＭＨｚであれば、整合が成されないことが分かる。そして、図１のｂ地点（ｂ）において周波数と利得関係は、図３ｂに示されているように表わされてもよい。また、スミスチャートは図４ｂに示されているように表わされる。図３ｂと図４を用いて周波数と利得を詳しくみてみると、放射金属１１０に約７９０ＭＨｚ〜９８０ＭＨｚ程度の周波数を有する信号が伝達される時と放射金属１１０に１７００ＭＨｚ〜２１００ＭＨｚ程度の信号が伝達される時、それぞれ２つのポール（Ｐｏｌｅ）が形成されることが分かる。すなわち、第１インピーダンス部１２０と第２インピーダンス部１３０によって低域帯周波数と高域帯周波数においてそれぞれ２つのポールが発生され得るようになる。これにより、伝送損失が少ない周波数範囲が広くなり、広帯域化して信号を送受信することができる。そして、周波数が１２５０ＭＨｚであれば、放射金属に送受信される信号が接地に伝達されて整合が成されないことが分かる。
【００３３】
図５は、本発明によるアンテナ装置の他の一実施形態を示す回路図である。図６ａないし図６ｃは、図５に示されたアンテナ装置に伝達される信号による等価回路図である。図６ａは、放射金属に所定の周波数を有する信号が伝達される時のアンテナ装置の等価回路図であり、図６ｂは、放射金属に所定の周波数より高い周波数を有する信号が伝達される時のアンテナ装置の等価回路図であり、図６ｃは、放射金属に所定の周波数より低い周波数を有する信号が伝達される時のアンテナ装置の等価回路図である。
【００３４】
図５を参照すると、アンテナ装置２００は、放射金属２１０と、放射金属２１０と接地ＧＮＤとの間に連結され、周波数によってインピーダンス値が変更されるが、所定の周波数に応じて共振することにより放射金属２１０と接地ＧＮＤとの間が開放されるようにする第１インピーダンス部２２０と、放射金属２１０と接地ＧＮＤの間に連結され、周波数によってインピーダンス値が変更されるが、所定の周波数に応じて共振されることにより放射金属２１０と接地ＧＮＤとの間が短絡されるようにする第２インピーダンス部２３０と、放射金属２１０に直列に連結され、所定の周波数に応じて開放される第３インピーダンス部２４０と、所定の周波数に応じて短絡される第４インピーダンス部２５０とを含んでもよい。
【００３５】
図５に示されたアンテナ装置２００は、放射金属２１０に直列に連結されている第３インピーダンス部２４０と第４インピーダンス部２５０とをさらに含むことが、図１に示されたアンテナ装置１００と異なる相違点である。ここでは、図１に示されたアンテナ装置１００と異なる相違点に対してのみ説明する。
【００３６】
そして、放射金属２１０に所定の周波数を有する信号が送受信されると、第３インピーダンス部２４０は共振によってインピーダンスが無限大になり、第４インピーダンス部２５０は共振によってインピーダンスが０になることによって、アンテナ装置２００は図６ａのように示されてもよい。すなわち、第３インピーダンス部２４０によって放射金属２１０が途切れているのと同様になってもよい。したがって、第２インピーダンス部２３０によって放射金属２１０が接地ＧＮＤと連結されるようにし、第３インピーダンス部２４０によって放射金属２１０が外部機器（図示せず）と途切れている状態となるため、放射金属２１０には信号が送受信されず、アンテナ装置２００と連結されている外部機器へ放射金属２１０に送受信される信号は送受信されなくてもよい。
【００３７】
そして、放射金属２１０に所定の周波数より周波数が高い高域帯に属する信号が送受信されると、第１インピーダンス部２２０と第３インピーダンス部２４０はそれぞれキャパシタ成分ＣＨ２、ＣＨ３を有してもよく、第２インピーダンス部２３０と第４インピーダンス部２５０はそれぞれインダクタ成分ＬＨ２、ＬＨ３を有してもよく、アンテナ装置１００は図６ｂのように示されてもよい。したがって、第３インピーダンス部２４０と第４インピーダンス部２５０は、放射金属２１０に直列に連結されてもよい。そして、放射金属２１０に直列に連結されている第３インピーダンス部２４０のキャパシタ成分ＣＨ３と第４インピーダンス部２５０のインダクタ成分ＬＨ３によって放射金属２１０に送受信される高域帯信号は共振するようになり、放射金属２１０に送受信される高域帯信号は第３インピーダンス部２４０と第４インピーダンス部２５０とをバイパスすることができる。
【００３８】
また、放射金属２１０に所定の周波数より周波数が低い低域帯に属する信号が送受信されると、第１インピーダンス部２２０と第３インピーダンス部２４０はインダクタ成分を有してもよく、第２インピーダンス部２３０と第４インピーダンス部２５０はキャパシタ成分を有してもよく、アンテナ装置２００は図６ｃのように示されてもよい。第３インピーダンス部２４０と第４インピーダンス部２５０は放射金属２１０に直列に連結されてもよい。そして、放射金属２１０に直列に連結されている第３インピーダンス部２４０のインダクタ成分ＬＬ３と第４インピーダンス部２５０のキャパシタ成分ＣＬ３によって放射金属２１０に送受信される低域帯信号は共振することになり、放射金属２１０に送受信される低域帯信号は第３インピーダンス部２４０と第４インピーダンス部２５０とをバイパスすることができる。第３インピーダンス部２４０と第４インピーダンス部２５０の数は一つずつ示されているが、これに限定される訳ではなく、第３インピーダンス部２４０と第４インピーダンス部２５０の数はそれぞれ複数個が備えられてもよい。
【００３９】
一実施形態において、第３インピーダンス部２４０はインダクタＬ３１とキャパシタＣ３１とが並列に連結されており、第４インピーダンス部２５０はインダクタＬ４１とキャパシタＣ４１とが直列に連結されてもよい。また、低域帯信号は８５０ＭＨｚを有する信号であってもよく、高域帯信号は１８５０ＭＨｚ帯の信号であってもよい。また、所定の周波数は１２５０ＭＨｚであってもよい。
【００４０】
したがって、アンテナ装置２００は、高域帯信号に応じて共振することができ、低域帯信号に応じて共振することができて、高周波信号と低周波信号を広帯域化することができる。
【００４１】
上記の説明において、第１インピーダンス部２２０、第２インピーダンス部２３０、第３インピーダンス部２４０、及び第４インピーダンス部２５０がすべて放射金属２１０に連結されていることが示されているが、これに限定される訳ではなく、第１インピーダンス部２２０と第２インピーダンス部２３０のみ放射金属２１０に連結されてもよく、第３インピーダンス部２４０と第４インピーダンス部２５０のみ放射金属２１０に連結されてもよい。
【００４２】
図７は、図５に示されたアンテナ装置に伝達される任意の信号の周波数に対する整合特性を表わす図面であり、図８は、図７に対応するスミスチャートを表わす。
【００４３】
図７及び図８を参照すると、図５に示された放射金属２１０に７００ＭＨｚから２３００ＭＨｚの間の周波数を有する信号が送受信されると、ｃ地点（ｃ）において周波数と利得の関係は図７に示されているように表わすことができる。また、スミスチャートは、図８に示されているように表わされる。放射金属２１０に８５０ＭＨｚ程度の周波数を有する信号が送受信される時と放射金属２１０に１８５０ＭＨｚ程度の信号が送受信される時、それぞれポール（Ｐｏｌｅ）が形成されることが分かる。一つのポールにおいて、伝送損失を最小化できる周波数の範囲が非常に広くなって、放射金属１１０に送受信される信号の伝送損失を最小化できる周波数の範囲が非常に広くなり得るようになる。したがって、広帯域化が成されたことが分かる。そして、周波数が１２５０ＭＨｚであれば、信号が接地に伝達されて整合が成されないことが分かる。
【００４４】
図９は、本発明によるアンテナ装置の構造を示す構造図である。
【００４５】
図９を参照すると、アンテナ装置１０００は、基板１１００上に電極１２００が形成されて接地として使用されてもよい。そして、基板１１００上において一つの方向に第１放射金属１３００が形成され、第１放射金属１３００が形成された方向と垂直の方向に第２放射金属１４００が形成されてもよい。第１放射金属１３００が第２放射金属１４００より長さがさらに長くてもよい。第１放射金属１３００、第２放射金属１４００、及び電極１１００は、フィード（ｆｅｅｄ）１５００に連結されてもよい。第１放射金属１３００は低域帯周波数を有する信号が送受信されてもよく、第２放射金属１４００は高域帯周波数を有する信号が送受信されてもよい。低域帯周波数を有する信号の周波数は８５０ＭＨｚであってもよく、高域帯周波数を有する信号の周波数は１８５０ＭＨｚであってもよい。また、第１放射金属１３００と電極１２００との間の間隔ｄ１は８ｍｍであってもよく、第２放射金属１４００と電極１２００との間の間隔ｄ２は３ｍｍであってもよい。
【００４６】
また、ここで、アンテナ装置を平板逆Ｌアンテナを基準に説明したが、アンテナ装置がここに限定される訳ではない。
【００４７】
以上において、実施形態に説明された特徴、構造、効果などは、本発明の一つの実施形態に含まれ、必ずしも一つの実施形態にのみ限定される訳ではない。さらに、各実施形態において例示された特徴、構造、効果などは、実施形態が属する分野における通常の知識を有する者によって、他の実施形態についても組み合わせ又は併合されて実施可能である。したがって、このような組み合わせと変形に係る内容は、本発明の範囲に含まれるものと解釈されるべきである。
【００４８】
また、以上において実施形態を中心に説明したが、これは単に例示にすぎず、本発明を限定する訳ではなく、本発明が属する分野における通常の知識を有する者であれば、本実施形態の本質的な特徴を外れない範囲で、以上において例示されない様々な変形と応用が可能であることが分かるはずである。例えば、実施形態に具体的に示された各構成要素は、変形して実施することができる。そして、このような変形と応用に係る相違点は、添付の特許請求の範囲において規定する本発明の範囲に含まれるものと解釈されるべきである。
【符号の説明】
【００４９】
１００      アンテナ装置
１１０      放射金属
１２０      第１インピーダンス部
１３０      第２インピーダンス部
ＧＮＤ      接地
【図１】
2015089129.tif 000003
【図２ａ】
2015089129.tif 000004
【図２ｂ】
2015089129.tif 000005
【図２ｃ】
2015089129.tif 000006
【図３ａ】
2015089129.tif 000007
【図３ｂ】
2015089129.tif 000008
【図４ａ】
2015089129.tif 000009
【図４ｂ】
2015089129.tif 000010
【図５】
2015089129.tif 000011
【図６ａ】
2015089129.tif 000012
【図６ｂ】
2015089129.tif 000013
【図６ｃ】
2015089129.tif 000014
【図７】
2015089129.tif 000015
【図８】
2015089129.tif 000016
【図９】
2015089129.tif 000017